(57)【要約】高速な信号伝送に対応し、複数のコネクタが実装可能な低コストのフレキシブルプリント基板を提供する。互いに対向する第１面１００ａ及び第２面１００ｂと、一端を折り曲げることにより形成された重複部分１０５とを有するフレキシブルプリント基板の本体１００；本体の第１面１００ａ上に、互いにほぼ平行に配置された複数の配線１０１；配線のそれぞれの一端に接続され、配線よりも幅が広く、重複部分の第１面側表面１０５ａに形成された第１パッド１０３；配線のそれぞれの一端に設けられ、配線よりも幅が広く、重複部分の第２面側表面１０５ｂに形成された第２パッド１０４；を有する。第１パッド１０３が接続された各配線１０１ａと第２パッド１０４が接続された各配線１０１ｂとは、第１面上で交互に配置されている。【特許請求の範囲】
【請求項１】
互いに対向する第１面及び第２面と、少なくとも一部を折り曲げることにより前記第１面が外表になるよう重ね合わせられた重複部分とを有するフレキシブルプリント基板の本体と、
前記本体の第１面上に、互いにほぼ平行に配置された複数の配線と、
一部の配線の一端及び／または途中に接続され、その配線よりも幅が広く、前記重複部分の一方の面上に形成された第１パッドと、
一部の配線の一端及び／または途中に接続され、その配線よりも幅が広く、前記重複部分の他方の面上に形成された第２パッドと、を有し、
前記第１パッドが接続された各配線と前記第２パッドが接続された各配線とは、前記第１面上で交互に配置されていることを特徴とする、フレキシブルプリント基板。
【請求項２】
前記配線は信号配線とグランド配線とを含み、
前記信号配線とグランド配線とが２本ずつ交互に配置されていることを特徴とする、請求項１に記載のフレキシブルプリント基板。
【請求項３】
隣り合う信号配線間の距離は、隣り合う信号配線とグランド配線との間の距離よりも長いことを特徴とする、請求項２に記載のフレキシブルプリント基板。
【請求項４】
３本の配線からなる配線パターン単位の繰り返しにより構成される配線パターンが前記第１面に形成されており、
前記配線パターン単位のそれぞれは、グランド配線と、そのグランド配線を挟むように配置された２本の信号配線と、により形成されていることを特徴とする、請求項１に記載のフレキシブルプリント基板。
【請求項５】
前記配線パターン単位に含まれる２本の信号配線は、互いの信号の位相が反転している第１信号配線及び第２信号配線であり、
前記各配線パターン単位において、前記第１信号配線と前記第２信号配線とは、前記グランド配線に対して対称に配置されていることを特徴とする、請求項４に記載のフレキシブルプリント基板。
【請求項６】
前記配線パターンを構成する各配線パターン単位間の距離は、各配線パターン単位内の信号配線とグランド配線との距離よりも長いことを特徴とする、請求項４に記載のフレキシブルプリント基板。
【発明の詳細な説明】
【技術分野】
【０００１】  本発明は、コンピュータ端末やＡＶ機器等の電子機器において、信号の伝送に用いられるフレキシブルプリント基板に関する。
【背景技術】
【０００２】  近年、ＵＳＢ（Ｕｎｉｖｅｒｓａｌ  Ｓｅｒｉａｌ  Ｂｕｓ）、ＩＥＥＥ（Ｉｎｓｔｉｔｕｔｅ  ｏｆ  Ｅｌｅｃｔｒｉｃａｌ  ａｎｄ  Ｅｌｅｃｔｒｉｃ  Ｅｎｇｉｎｅｅｒｓ）１３９４などのシリアルインタフェースが、ＰＣ（パーソナルコンピュータ）などのコンピュータ端末やＡＶ機器などの電子機器に浸透し、対応機種も多くなってきている。そのため、１台の電子機器が有するインターフェースのポート数が増加している。また、電子機器内において、信号を中継するための伝送媒体として、取り回しが容易であるフレキシブルプリント基板が一般的に用いられている。このような背景から、信号の高速伝送が可能で、複数のコネクタポートをもったフレキシブルプリント基板が求められている。【０００３】  フレキシブル基板で信号を高速伝送するためには、通常は両面に配線を配置した基板（両面基板）が用いられている。両面基板では、表面に信号配線パターンが、裏面にグランド配線パターンが形成されている。信号配線及びグランド配線を含む伝送線路の設計は、信号の反射やクロストークノイズを考慮して行われる。片面にのみ伝送線路が配置された片面基板と比較すると、両面基板は、低インピーダンスを実現しやすく高周波特性が良好である利点を有する。その一方、両面基板はコストが高いと言う問題を有している。この問題を解決するために、特許文献１は、安価な片面基板を用いて伝送線路の特性インピーダンスを調整する技術を提案している。【０００４】  しかし、複数のコネクタを実装でき、しかも安価で信号の反射やクロストークを防止するフレキシブル基板は、未だ提案されていない。前記特許文献１は、フレキシブル基板に複数のコネクタを実装する場合に生じる信号の反射やクロストークノイズを抑制する技術については何ら提案していない。複数のコネクタを単純に片面に実装すると、図８に示すように実装面積がコネクタの数だけ増加し、コストが増加する。また、図９に示すように、端子配列を考慮しないで単純に実装面積を小さくし、両面基板に複数のコネクタを実装すると、信号の反射やクロストークなどの問題が発生し、高速な信号の伝送が困難になる。【０００５】  本発明は、前記従来の課題を解決するものであり、安価な片面基板を用いて、複数のコネクタを実装することを可能とし、かつ信号の反射やクロストークを抑制する特徴を持ったフレキシブルプリント基板を提供することを目的とする。
【特許文献１】特開２０００−３５７８４６号公報
【発明の開示】
【０００６】  前記課題を解決するために、本願発明１は、下記の特徴を有するフレキシブルプリント基板を提供する。
・互いに対向する第１面及び第２面と、少なくとも一部を折り曲げることにより前記第１面が外表になるよう重ね合わせられた重複部分とを有するフレキシブルプリント基板の本体、
・前記本体の第１面上に、互いにほぼ平行に配置された複数の配線、
・一部の配線の一端及び／または途中に接続され、その配線よりも幅が広く、前記重複部分の一方の面上に形成された第１パッド、
・一部の配線の一端及び／または途中に接続され、その配線よりも幅が広く、前記重複部分の他方の面上に形成された第２パッド、
・前記第１パッドが接続された各配線と前記第２パッドが接続された各配線とは、前記第１面上で交互に配置されている。
【０００７】  配線を第１面にのみ形成するので、基板の面積が小さくてすみ、基板のコストを抑えることができる。その一方、コネクタを接続するためのパッドを重複部分の裏表、すなわち両面に形成するので、複数のコネクタを接続することができる。つまり、複数のコネクタに対応し、インピーダンスの制御が容易で低コストなフレキシブルプリント基板を実現することができる。さらに、パッドを形成するための重複部分を、フレキシブルプリント基板の端部だけでなく途中にも形成することができ、しかも複数箇所に形成しても良い。
【０００８】  本願発明２は、前記発明１において、前記配線は信号配線とグランド配線とを含み、前記信号配線とグランド配線とが２本ずつ交互に配置されているフレキシブルプリント基板を提供する。
【０００９】  第１パッドの並び及び第２パッドの並びが信号パッドとグランドパッドとの交互の配列になるため、信号パッド同士のクロストークの影響を緩和することができる。
【００１０】  本願発明３は、前記発明２において、隣り合う信号配線間の距離は、隣り合う信号配線とグランド配線との間の距離よりも長いフレキシブルプリント基板を提供する。
【００１１】  隣り合う信号配線間の距離を大きくとることにより、信号配線同士のクロストークを防止することができる。
【００１２】  本願発明４は、前記発明１において、３本の配線からなる配線パターン単位の繰り返しにより構成される配線パターンが前記第１面に形成されているフレキシブルプリント基板を提供する。ここで、配線パターン単位のそれぞれは、グランド配線と、そのグランド配線を挟むように配置された２本の信号配線と、により形成されている。
【００１３】  基板本体の重複部分において、信号端子と信号端子との間には他面のグランド端子が位置するため、信号端子のクロストークを緩和することができる。
【００１４】  本願発明５は、前記発明４において、前記配線パターン単位に含まれる２本の信号配線は、互いの信号の位相が反転している第１信号配線及び第２信号配線であるフレキシブルプリント基板を提供する。ここで、前記各配線パターン単位において、前記第１信号配線と前記第２信号配線とは、前記グランド配線に対して対称に配置されている。
【００１５】  差動配線の正相及び逆相の間にグランド配線を配置するので、差動信号の正相及び逆相の信号間のクロストークの影響を緩和できる。
【００１６】  本願発明６は、前記発明４において、前記配線パターンを構成する各配線パターン単位間の距離は、各配線パターン単位内の信号配線とグランド配線との距離よりも長いフレキシブルプリント基板を提供する。
【００１７】  隣り合う配線パターン単位間では、差動信号の正相及び逆相の信号配線が隣り合っているので、配線パターン単位の距離を大きくとることにより信号配線同士のクロストークの影響を押さえることができる。
【００１８】  本発明を用いれば、複数コネクタを実装可能なフレキシブルプリント基板を、安価に提供することができる。
【図面の簡単な説明】
【００１９】
【図１】本発明の第１実施形態におけるフレキシブルプリント基板の構成図（ａ）平面図（ｂ）展開平面図（ｃ）図（ａ）中のＡ方向から見た側面図（ｄ）図（ａ）中のＢ方向から見た側面図（ｅ）図（ａ）の重複部の断面図
【図２】本発明の第２実施形態におけるフレキシブルプリント基板の構成図（ａ）平面図（ｂ）展開平面図（ｃ）図（ａ）の重複部の断面図
【図３】本発明の第３実施形態におけるフレキシブルプリント基板の構成図（ａ）平面図（ｂ）展開平面図（ｃ）図（ａ）の重複部の断面図
【図４】別形態におけるフレキシブルプリント基板の構成図（ａ）平面図（ｂ）展開平面図（ｃ）図（ａ）の重複部の断面図
【図５】別形態におけるフレキシブルプリント基板の構成図（ａ）平面図（ｂ）展開平面図（ｃ）図（ａ）の重複部の断面図
【図６】別形態におけるフレキシブルプリント基板の構成図（ａ）本実施形態に係るフレキシブルプリント基板を展開した場合の平面図（ｂ）同図（ａ）中Ａ側から見た、フレキシブルプリント基板の側面図（ｃ）同図（ａ）中Ｂ側から見た、フレキシブルプリント基板の側面図（ｄ）一方から見たフレキシブルプリント基板の斜視図（ｅ）別の方向から見たフレキシブルプリント基板の斜視図
【図７】図６に示す構成の応用例を示す説明図
【図８】従来の構成図（片面基板の場合）
【図９】従来の構成図（両面基板の場合）
【発明を実施するための最良の形態】
【００２０】  以下、本発明について、図面を参照しながら具体的に説明する。【００２１】  ＜第１実施形態＞
［構成］
図１は、本発明の第１実施形態例に係るフレキシブルプリント基板の構成図を示す。図１（ａ）は、本実施形態に係るフレキシブルプリント基板の平面図である。フレキシブルプリント基板は、本体１００、配線１０１及び表面パッド１０３を有している。このフレキシブル基板は、重複部１０５において基板が二重に重なっており、重複部１０５の図中紙面と反対側に裏面パッド１０４（図１（ｃ）、（ｄ）参照）を有している。【００２２】  図１（ｂ）は、重複部１０５を展開した場合のフレキシブルプリント基板の平面図である。重複部１０５は、表面側１０５ａと裏面側１０５ｂとに展開されている。前述したように、重複部１０５の裏面側には裏面パッド１０４が形成されている。図１（ｃ）は、同図（ａ）の図中Ａ方向から見た、フレキシブルプリント基板の側面図である。図１（ｄ）は、同図（ａ）の図中Ｂ方向から見た、フレキシブルプリント基板の側面図である。図１（ｅ）は、同図（ａ）の重複部１０５における断面図である。【００２３】  次に各構成要素について詳述する。【００２４】  （１）本体
シート状の本体１００は、互いに対向する表面１００ａ及び裏面１００ｂを有し、折り曲げ可能である。本体１００の一端は、図１（ｂ）中の折り曲げ線１０２で表面１００ａが外側になるように折り曲げられている。折り曲げられた本体１００の裏面１００ｂ同士は耐熱性のある接着剤などで接合されている。折り曲げられた部分は、本体１００が二重に重なる重複部１０５を形成する。【００２５】  （２）複数の配線
複数の配線１０１は、本体１００の表面上に互いにほぼ平行に配置されている。配線１０１は、信号を伝送するための導体配線である。配線１０１の本数は図示する１２本に限定されない。配線１０１は、表面パッド１０３につながる配線１０１ａと、裏面バッド１０４につながる配線１０１ｂとに大別される。配線１０１ａと配線１０１ｂとは、本体１００の表面１００ａ上で交互に配列されている。後述するように、重複部１０５の一方の面におけるパッド間の裏に、他面のパッドを配置するためである。【００２６】  重複部１０５では、配線１０１ｂの幅がその他の部分よりも狭く形成されている。これは、重複部１０５における配線１０１ｂと表面パッド１０３との距離を保ち、クロストークを緩和するためである。好ましくは、重複部１０５における配線１０１ｂ及び表面パッド１０３の距離と、その他の部分における配線１０１ａ、１０１ｂの距離とを同一に保つと、各配線のインピーダンスが安定する。【００２７】  （３）表面パッド・裏面パッド
本体１００には、コネクタ接続用の表面パッド１０３及び裏面パッド１０４が形成されている。表面パッド１０３及び裏面パッド１０４は、配線１０１のそれぞれの一端に接続され、配線１０１よりも幅広に形成されている。さらに、表面パッド１０３は、重複部の表面側１０５ａに形成されている。表面パッド１０３は、本体１００の表面１００ａ上で配線１０１ａと接続されている。一方、裏面パッド１０４は、重複部の裏面側１０５ｂに形成されている。裏面パッド１０４は、重複部１０５の表面側から裏面側に回り込んでいる配線１０１ｂと重複部の裏面側１０５ｂで接続されている。【００２８】  図１（ｅ）に示すように、重複部１０５の一方の面におけるパッド間の裏には、他面のパッドが位置している。従って、重複部の表面側１０５ａ及び裏面側１０５ｂのそれぞれにおいて、パッド間の距離を確保することができる。また、重複部の表面側１０５ａのパッドと裏面側１０５ｂのパッドとの距離を確保することができる。そのため、パッド同士のクロストークを緩和しやすい。また、パッド間の間隔を表裏両面において同一に設定しやすく、コネクタを実装する上で好適である。【００２９】  なお、本実施形態では重複部１０５を１箇所形成して２つのコネクタをその両面に実装しているが、重複部１０５を複数形成してもよい。３つ以上のコネクタを実装することができる。また、このフレキシブルプリント基板に実装されるコネクタは、表裏で別々であってもいいし、表裏に使えるよう一体化されたコネクタであってもよい。【００３０】  なお、全配線が上記のような構造になっている必要はなく、一部の配線がなっているだけでもよい。【００３１】  ［効果］
上記の構成のフレキシブルプリント基板では、配線１０１を本体１００の片面にのみ形成しているので、フレキシブルプリント基板の面積が小さくてすみ、コストを抑えることができる。その一方、コネクタを接続するためのパッド１０３，１０４を、重複部１０５の裏表、すなわち基板の両面に形成するので、複数のコネクタを基板に接続することができる。つまり、複数のコネクタに対応し、インピーダンスの制御が容易で低コストなフレキシブルプリント基板を実現することができる。【００３２】  ＜第２実施形態＞
図２は、本発明の第２実施形態例に係るフレキシブルプリント基板の構成図を示す。図２（ａ）は、本実施形態に係るフレキシブルプリント基板の平面図である。フレキシブルプリント基板は、本体１００、配線１０１及び表面パッド１０３を有している。このフレキシブル基板は、重複部１０５において基板が二重に重なっており、重複部１０５の図中紙面と反対側に裏面パッド１０４（図２（ｂ）、（ｃ）参照）を有している。図２（ｂ）は、重複部１０５を展開した場合のフレキシブルプリント基板の平面図である。重複部１０５は、表面側１０５ａと裏面側１０５ｂとに展開されている。同図（ｃ）は、同図（ａ）の重複部１０５における断面図である。【００３３】  次に各構成要素について詳述する。図中、第１実施形態と同一の符号番号を付した構成要素は、第１実施形態と同様の構成及び作用を有している。【００３４】  （１）本体
シート状の本体１００は、互いに対向する表面１００ａ及び裏面１００ｂを有し、折り曲げ可能である。本体１００の一端は、図２（ｂ）中の折り曲げ線１０２で表面１００ａが外側になるように折り曲げられている。折り曲げられた本体１００の裏面１００ｂ同士は耐熱性のある接着剤などで接合されている。折り曲げられた部分は、本体１００が二重に重なる重複部１０５を形成する。【００３５】  （２）複数の配線
複数の配線１０１は、本体１００の表面上に互いにほぼ平行に配置されている。配線１０１は、信号を伝送するための導体配線である。配線１０１の本数は図示する１２本に限定されない。配線１０１は、表面パッド１０３につながる配線１０１ａと、裏面バッド１０４につながる配線１０１ｂとに大別される。配線１０１ａと配線１０１ｂとは、本体１００の表面１００ａ上で交互に配列されている。後述するように、重複部１０５の一方の面におけるパッド間の裏に、他面のパッドを配置するためである。【００３６】  重複部１０５では、配線１０１ｂの幅がその他の部分よりも狭く形成されている。これは、重複部１０５における配線１０１ｂと表面パッド１０３との距離をできるだけ大きく保ち、信号の反射やクロストークを緩和するためである。【００３７】  配線１０１は、信号配線Ｓとグランド配線Ｇとに分けることもできる。信号配線Ｓとグランド配線Ｇとは、２本ずつ交互に配置されている。こうすると、重複部の表面側１０５ａ及び裏面側１０５ｂのそれぞれにおいて、信号パッドとグランドパッドとが交互に並ぶようになり、信号パッド同士のクロストークの影響を緩和することができる。また、線路、パッドのインピーダンスが確定し、材質、線幅、線厚を調整することによって、所望のインピーダンスに設計することができる。なお、信号配線Ｓに接続されるパッドを信号パッド、グランド配線Ｇに接続されるパッドをグランドパッドという。【００３８】  隣り合う信号配線Ｓ間の距離はできるだけ大きく取ることが好ましい。信号配線同士のクロストークや信号の反射を防止するためである。本体１００の面積には限りがあるため、実際には隣り合う信号配線Ｓ同士の距離を、隣り合う信号配線Ｓとグランド配線Ｇとの距離よりも大きく設定すると良い。【００３９】  （３）表面パッド・裏面パッド
本体１００には、コネクタ接続用の表面パッド１０３及び裏面パッド１０４が形成されている。表面パッド１０３及び裏面パッド１０４は、配線１０１のそれぞれの一端に接続され、配線１０１よりも幅広に形成されている。さらに、表面パッド１０３は、重複部の表面側１０５ａに形成されている。表面パッド１０３は、本体１００の表面１００ａ上で配線１０１ａと接続されている。一方、裏面パッド１０４は、重複部の裏面側１０５ｂに形成されている。裏面パッド１０４は、重複部１０５の表面側から裏面側に回り込んでいる配線１０１ｂと重複部の裏面側１０５ｂで接続されている。【００４０】  図１（ｅ）に示すように、重複部１０５の一方の面におけるパッド間の裏には、他面のパッドが配置されている。従って、重複部の表面側１０５ａ及び裏面側１０５ｂのそれぞれにおいて、パッド間の距離を確保しやすい。また、表面側１０５ａのパッドと裏面側１０５ｂのパッドとの距離を確保しやすい。そのため、パッド同士のクロストークを緩和しやすい。また、パッド間の間隔を表裏両面において同一に設定すれば、コネクタを実装する上で好適である。【００４１】  さらに、表面パッド１０３及び裏面パッド１０４は、信号パッド及びグランドパッドに分けることができる。図２（ｃ）に示すように、重複部の表面側１０５ａ及び裏面側１０５ｂのそれぞれにおいて、信号パッド及びグランドパッドが交互に配列されている。このため、信号パッド間の反射やクロストークを緩和することができる。また、線路、パッドのインピーダンスが確定し、材質、線幅、線厚を調整することによって、所望のインピーダンスに設計することができる。【００４２】  なお、重複部１０５を複数形成して３つ以上のコネクタを実装することができるのは、第１実施形態と同様である。また、このフレキシブルプリント基板に実装されるコネクタは、表裏で別々であってもいいし、一部のみや一体化されていてもよいのも、第１実施形態と同様である。【００４３】  ［効果］
上記の構成のフレキシブルプリント基板では、配線１０１を本体１００の片面にのみ形成しているので、フレキシブルプリント基板の面積が小さくてすみ、コストを抑えることができる。その一方、コネクタを接続するためのパッド１０３，１０４を、重複部１０５の裏表、すなわち基板の両面に形成するので、複数のコネクタを基板に接続することができる。さらに、信号配線Ｓ及びグランド配線Ｇを２本ずつ交互に配置することにより、重複部の表面側１０５ａ及び裏面側１０５ｂのそれぞれにおいて、信号パッドとグランドパッドとを交互に配列することができ、信号パッド間の反射やクロストークを緩和することができる。また、線路、パッドのインピーダンスが確定し、材質、線幅、線厚を調整することによって、所望のインピーダンスに設計することができる。さらに、信号配線Ｓ同士の距離を、信号配線Ｓとグランド配線Ｇとの距離よりも大きく取ることで、信号配線Ｓ同士の反射やクロストークを緩和することができる。つまり、複数のコネクタに対応し、高速伝送に適した低コストなフレキシブルプリント基板を実現することができる。【００４４】  ＜第３実施形態＞
図３は、本発明の第３実施形態に係るフレキシブルプリント基板の構成図を示す。図３（ａ）は、本実施形態に係るフレキシブルプリント基板の平面図である。フレキシブルプリント基板は、本体１００、配線１０１及び表面パッド１０３を有している。このフレキシブル基板は、重複部１０５において基板が二重に重なっており、重複部１０５の図中紙面と反対側に裏面パッド１０４（図３（ｂ）、（ｃ）参照）を有している。図３（ｂ）は、重複部１０５を展開した場合のフレキシブルプリント基板の平面図である。重複部１０５は、表面側１０５ａと裏面側１０５ｂとに展開されている。図３（ｃ）は、同図（ａ）の重複部１０５における断面図である。【００４５】  次に各構成要素について詳述する。図中、第１実施形態と同一の符号番号を付した構成要素は、第１実施形態と同様の構成及び作用を有している。【００４６】  （１）本体
シート状の本体１００は、互いに対向する表面１００ａ及び裏面１００ｂを有し、折り曲げ可能である。本体１００の一端は、図３（ｂ）中の折り曲げ線１０２で表面１００ａが外側になるように折り曲げられている。折り曲げられた本体１００の裏面１００ｂ同士は耐熱性のある接着剤などで接合されている。折り曲げられた部分は、本体１００が二重に重なる重複部１０５を形成する。【００４７】  （２）複数の配線
複数の配線１０１は、本体１００の表面上に互いにほぼ平行に配置されている。配線１０１は、信号を伝送するための導体配線である。配線１０１の本数は図示する１２本に限定されない。配線１０１は、表面パッド１０３につながる配線１０１ａと、裏面バッド１０４につながる配線１０１ｂとに大別される。配線１０１ａと配線１０１ｂとは、本体１００の表面１００ａ上で交互に配列されている。後述するように、重複部１０５の一方の面におけるパッド間の裏に、他面のパッドが位置するように配置するためである。【００４８】  重複部１０５では、配線１０１ｂの幅がその他の部分よりも狭く形成されている。これは、重複部１０５における配線１０１ｂと表面パッド１０３との距離をできるだけ大きく保ち、クロストークを緩和するためである。【００４９】  配線１０１は、信号配線Ｓとグランド配線Ｇとに分けることもできる。ここでは、３本の配線からなる配線パターン単位の繰り返しにより構成される配線パターンが本体１００の表面１００ａに形成されている。配線パターン単位のそれぞれは、グランド配線Ｇと、そのグランド配線を挟むように配置された２本の信号配線と、により形成されている。こうすることで、重複部１０５の一方の面における信号パッド間の裏に、他面のグランドパッドが位置するようになるため、信号パッドの反射やクロストークを緩和することができる。また、線路、パッドのインピーダンスが確定し、材質、線幅、線厚を調整することによって、所望のインピーダンスに設計することができる。【００５０】  配線パターン単位に含まれる２本の信号配線は、互いの信号の位相が反転している信号配線＋Ｓ及び信号配線−Ｓである。差動配線＋Ｓ、−Ｓの正相及び逆相の間にグランド配線Ｇを配置することで、差動信号の正相及び逆相の信号間のクロストークの影響を効果的に緩和できる。従って、ＨＤＭＩ、ＤＶＩなどの擬似差動伝送において、信号波形の劣化が少なくなる。さらに、各配線パターン単位において、信号配線＋Ｓと信号配線−Ｓとがグランド配線Ｇに対して線対称に配置されていると、差動信号のクロストークの緩和やインピーダンスの制御にさらに好適である。【００５１】  隣り合う配線パターン単位の間では、信号配線＋Ｓ，−Ｓが隣り合っている。隣り合う信号配線＋Ｓ，−Ｓの距離はできるだけ大きいことが好ましい。本体１００の面積が限られているので、実際には、隣り合う信号配線＋Ｓ、−Ｓの距離を、隣り合う信号配線＋Ｓ，−Ｓとグランド配線Ｇとの距離よりも大きく取るようにすると良い。言い換えれば、各配線パターン単位間の距離は、各配線パターン単位内の信号配線＋Ｓ、−Ｓとグランド配線Ｇとの距離よりも大きいことが好ましい。隣り合う差動信号の正相及び逆相の信号配線における反射やクロストークを緩和することができる。【００５２】  （３）表面パッド・裏面パッド
本体１００には、コネクタ接続用の表面パッド１０３及び裏面パッド１０４が形成されている。表面パッド１０３及び裏面パッド１０４は、配線１０１のそれぞれの一端に接続され、配線１０１よりも幅広に形成されている。さらに、表面パッド１０３は、重複部の表面側１０５ａに形成されている。表面パッド１０３は、本体１００の表面１００ａ上で配線１０１ａと接続されている。一方、裏面パッド１０４は、重複部の裏面側１０５ｂに形成されている。裏面パッド１０４は、重複部１０５の表面側から裏面側に回り込んでいる配線１０１ｂと重複部の裏面側１０５ｂで接続されている。【００５３】  図３（ｃ）に示すように、重複部１０５の一方の面におけるパッド間の裏には、他面のパッドが配置されている。従って、表面パッド間の距離、裏面パッド間の距離、及び表面パッドと裏面パッドとの距離とを確保し、パッド同士のクロストークを緩和しやすい。また、パッドの間隔を表裏両面において同一に設定すれば、コネクタを実装する上で好適である。【００５４】  また、表面パッド１０３及び裏面パッド１０４は、信号パッド及びグランドパッドに分けることができる。図３（ｃ）に示すように、重複部１０５の一方の面における信号パッド間の裏には、他面のグランドパッドが配置されている。このため、差動信号を伝送する信号パッド間のクロストークを緩和することができる。【００５５】  なお、重複部１０５を複数形成して３つ以上のコネクタを実装することができるのは、第１実施形態と同様である。また、このフレキシブルプリント基板に実装されるコネクタは、表裏で別々であってもいいし、一部のみや一体化されていてもよいのも、第１実施形態と同様である。【００５６】  ［効果］
上記の構成のフレキシブルプリント基板では、配線１０１を本体１００の片面にのみ形成しているので、フレキシブルプリント基板の面積が小さくてすみ、コストを抑えることができる。その一方、コネクタを接続するためのパッド１０３，１０４を、重複部１０５の裏表、すなわち基板の両面に形成するので、複数のコネクタを基板に接続することができる。２つの信号配線＋Ｓ，−Ｓをグランド配線Ｇを挟んで配置することにより、信号配線＋Ｓ，−Ｓ間のクロストークを緩和することができる。信号配線＋Ｓ，−Ｓ同士の距離を、信号配線＋Ｓ，−Ｓとグランド配線Ｇとの距離よりも大きく取れば、信号配線Ｓ同士のクロストークをさらに緩和することができる。【００５７】  重複部１０５において、一方の面上で隣り合う信号パッドの間の裏には、他面側のグランドパッドが位置するので、信号パッド間のクロストークを緩和することができる。【００５８】  また、線路、パッドのインピーダンスが確定し、材質、線幅、線厚を調整することによって、所望のインピーダンスに設計することができる。【００５９】  つまり、複数のコネクタに対応し、高速伝送に適した低コストなフレキシブルプリント基板を実現することができる。【００６０】  ＜その他の実施形態＞
（Ａ）図４は、複数のコネクタを実装でき、クロストークを緩和する低コストなフレキシブルプリント基板の別の構成例を示す。図４（ａ）は、本実施形態に係るフレキシブルプリント基板の平面図である。フレキシブルプリント基板は、本体１００、配線１０１及び表面パッド１０３を有している。このフレキシブルプリント基板は、重複部１０５において基板が二重に重なっており、重複部１０５の図中紙面と反対側に裏面パッド１０４（図４（ｂ）、（ｃ）参照）を有している。図４（ｂ）は、重複部１０５を展開した場合のフレキシブルプリント基板の平面図である。重複部１０５は、表面側１０５ａと裏面側１０５ｂとに展開されている。図４（ｃ）は、同図（ａ）の重複部１０５における断面図である。【００６１】  配線１０１は、表面パッド１０３につながる配線１０１ａと、裏面パッド１０４につながる配線１０１ｂとが、２本ずつ交互に配置されている。配線１０１は、信号配線Ｓとグランド配線Ｇとに分けることもできる。信号配線Ｓとグランド配線Ｇとは、交互に配列されている。信号配線Ｓとグランド配線Ｇとはペアを構成し、ペアを繰り返すことで配線パターンが形成されている。ペアをなす信号配線Ｓ及びグランド配線Ｇは、共に表面パッド１０３に接続されているか、または共に裏面パッド１０４に接続されている。ペアをなす信号配線Ｓとグランド配線Ｇとの間隔は、異なるペア間の間隔よりも短く設定されている。【００６２】  これにより、図４の（ｂ）、（ｃ）に示すように、重複部の表面側１０５ａ及び裏面側１０５ｂのいずれにおいても、信号パッドとグランドパッドとが交互に並ぶようになる。また、一方の面の信号パッドとグランドパッドとのペアの間の裏側には、他方の面の信号パッドとグランドパッドとが位置する。これにより、信号パッド間のクロスストロークの影響を抑えることができる。また、線路、パッドのインピーダンスが確定し、材質、線幅、線厚を調整することによって、所望のインピーダンスに設計することができる。【００６３】  （Ｂ）図５は、複数のコネクタを実装でき、クロストークを緩和する低コストなフレキシブルプリント基板の別の構成例を示す。図５（ａ）は、本実施形態に係るフレキシブルプリント基板の平面図である。フレキシブルプリント基板は、本体１００、配線１０１及び表面パッド１０３を有している。このフレキシブルプリント基板は、重複部１０５において基板が二重に重なっており、重複部１０５の図中紙面と反対側に裏面パッド１０４（図５（ｂ）、（ｃ）参照）を有している。図５（ｂ）は、重複部１０５を展開した場合のフレキシブルプリント基板の平面図である。重複部１０５は、表面側１０５ａと裏面側１０５ｂとに展開されている。図４（ｃ）は、同図（ａ）の重複部１０５における断面図である。【００６４】  配線１０１は、表面パッド１０３につながる配線１０１ａと、裏面パッド１０４につながる配線１０１ｂとが、３本ずつ交互に配置されている。この３本の配線１０１は、配線パターン単位となる。【００６５】  配線１０１は、信号配線Ｓとグランド配線Ｇとに分けることができる。１つの配線パターン単位は、互いに位相が逆の信号配線＋Ｓ，−Ｓとグランド配線Ｇとを、＋Ｓ，−Ｓ，Ｇの順��配列して形成されている。信号配線Ｓとグランド配線Ｇとはペアを構成し、ペアを繰り返すことで配線パターンが形成されている。差動信号配線＋Ｓ，−Ｓ同士の結合を高めるために、差動信号配線＋Ｓ，−Ｓの配線を近づけて配置することが好ましい。なお、差動信号の正相、逆相の並びはどちらでもよく、−Ｓ，＋Ｓ，Ｇの順に配列してもよい。また、線路、パッドのインピーダンスが確定し、材質、線幅、線厚を調整することによって、所望のインピーダンスに設計することができる。【００６６】  これにより、図４の（ｂ）、（ｃ）に示すように、重複部の表面側１０５ａ及び裏面側１０５ｂのいずれにおいても、差動信号パッドとグランドパッドとが交互に並ぶようになる。また、一方の面における差動信号パッドとグランドパッドとのグループの間の裏側には、他方の面の差動信号パッドとグランドパッドとのグループが位置する。これにより、差動信号間のクロストークの影響を排除することが可能となり、ＵＳＢ、ＩＥＥＥ１３９４などの差動伝送において、信号波形の劣化が少なくなる。【００６７】  （Ｃ）図６は、パッドを配線１０１の途中に形成したフレキシブルプリント基板の構成例を示す。図６（ａ）は、本実施形態に係るフレキシブルプリント基板を展開した場合の平面図である。図６（ｂ）は、同図（ａ）中Ａ側から見た、フレキシブルプリント基板の側面図である。図６（ｃ）は、同図（ａ）中Ｂ側から見た、フレキシブルプリント基板の側面図である。図６（ｄ）は、一方から見たフレキシブルプリント基板の斜視図である。図６（ｅ）は、別の方向から見たフレキシブルプリント基板の斜視図である。【００６８】  このフレキシブルプリント基板では、配線１０１の途中に重複部１０５が形成されている。配線１０１ａの途中には、表面パッド１０３が挿入され、配線１０１ａと直列に接続されている。表面パッド１０３は、重複部１０５の一方の面上、すなわち本体１００の表面１００ａ上に形成されている。配線１０１ｂの途中には、裏面パッド１０４が挿入され、配線１０１ｂと直列に接続されている。裏面パッド１０４は、重複部１０５の一方の面上、すなわち本体１００の表面１００ａ上に形成されている。さらに表面パッド１０３と裏面パッド１０４とは、重複部１０５において、互いに反対側の面に形成されている。【００６９】  図７は、パッド１０３，１０４及び重複部１０５を、長物形状の基板本体１００の途中に、複数箇所形成した構成を示す。図６の構成を応用して複数の重複部を形成すれば、フレキシブルプリント基板に複数のコネクタを接続できるようになり、接続形態の自由度を増すことができる。
【産業上の利用可能性】
【００７０】  本発明にかかるフレキシブルプリント基板は、信号の反射やクロストークが問題となる高速インターフェースにおいて、複数のポートを有するインターフェースの伝送媒体として応用可能である。
【図１】
2006013772.tif 000002
【図２】
2006013772.tif 000003
【図３】
2006013772.tif 000004
【図４】
2006013772.tif 000005
【図５】
2006013772.tif 000006
【図６】
2006013772.tif 000007
【図７】
2006013772.tif 000008
【図８】
2006013772.tif 000009
【図９】
2006013772.tif 000010
【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
互いに対向する第１面及び第２面と、少なくとも一部を折り曲げることにより前記第１面が外表になるよう重ね合わせられた重複部分とを有するフレキシブルプリント基板の本体と、
前記本体の第１面上に、互いにほぼ平行に配置された複数の配線と、
一部の配線の一端及び／または途中に接続され、その配線よりも幅が広く、前記重複部分の一方の面上に形成された第１パッドと、
一部の配線の一端及び／または途中に接続され、その配線よりも幅が広く、前記重複部分の他方の面上に形成された第２パッドと、を有し、
前記第１パッドが接続された各配線と前記第２パッドが接続された各配線とは、前記第１面上で交互に配置されていることを特徴とする、フレキシブルプリント基板。
【請求項２】
前記配線は信号配線とグランド配線とを含み、
前記信号配線とグランド配線とが２本ずつ交互に配置されていることを特徴とする、請求項１に記載のフレキシブルプリント基板。
【請求項３】
隣り合う信号配線間の距離は、隣り合う信号配線とグランド配線との間の距離よりも長いことを特徴とする、請求項２に記載のフレキシブルプリント基板。
【請求項４】
３本の配線からなる配線パターン単位の繰り返しにより構成される配線パターンが前記第１面に形成されており、
前記配線パターン単位のそれぞれは、グランド配線と、そのグランド配線を挟むように配置された２本の信号配線と、により形成されていることを特徴とする、請求項１に記載のフレキシブルプリント基板。
【請求項５】
前記配線パターン単位に含まれる２本の信号配線は、互いの信号の位相が反転している第１信号配線及び第２信号配線であり、
前記各配線パターン単位において、前記第１信号配線と前記第２信号配線とは、前記グランド配線に対して対称に配置されていることを特徴とする、請求項４に記載のフレキシブルプリント基板。
【請求項６】
前記配線パターンを構成する各配線パターン単位間の距離は、各配線パターン単位内の信号配線とグランド配線との距離よりも長いことを特徴とする、請求項４に記載のフレキシブルプリント基板。
【手続補正２】
【補正対象書類名】明細書
【補正対象項目名】全文
【補正方法】変更
【補正の内容】
【発明の詳細な説明】
【技術分野】
【０００１】
本発明は、コンピュータ端末やＡＶ機器等の電子機器において、信号の伝送に用いられるフレキシブルプリント基板に関する。
【背景技術】
【０００２】
近年、ＵＳＢ(Universal Serial Bus)、ＩＥＥＥ(Institute of Electrical and Electric Engineers)１３９４などのシリアルインタフェースが、ＰＣ（パーソナルコンピュータ）などのコンピュータ端末やＡＶ機器などの電子機器に浸透し、対応機種も多くなってきている。そのため、１台の電子機器が有するインターフェースのポート数が増加している。また、電子機器内において、信号を中継するための伝送媒体として、取り回しが容易であるフレキシブルプリント基板が一般的に用いられている。このような背景から、信号の高速伝送が可能で、複数のコネクタポートをもったフレキシブルプリント基板が求められている。
【発明の開示】
【発明が解決しようとする課題】
【０００３】
フレキシブル基板で信号を高速伝送するためには、通常は両面に配線を配置した基板（両面基板）が用いられている。両面基板では、表面に信号配線パターンが、裏面にグランド配線パターンが形成されている。信号配線及びグランド配線を含む伝送線路の設計は、信号の反射やクロストークノイズを考慮して行われる。片面にのみ伝送線路が配置された片面基板と比較すると、両面基板は、低インピーダンスを実現しやすく高周波特性が良好である利点を有する。その一方、両面基板はコストが高いと言う問題を有している。この問題を解決するために、特許文献１は、安価な片面基板を用いて伝送線路の特性インピーダンスを調整する技術を提案している。
【０００４】
しかし、複数のコネクタを実装でき、しかも安価で信号の反射やクロストークを防止するフレキシブル基板は、未だ提案されていない。前記特許文献１は、フレキシブル基板に複数のコネクタを実装する場合に生じる信号の反射やクロストークノイズを抑制する技術については何ら提案していない。複数のコネクタを単純に片面に実装すると、図８に示すように実装面積がコネクタの数だけ増加し、コストが増加する。また、図９に示すように、端子配列を考慮しないで単純に実装面積を小さくし、両面基板に複数のコネクタを実装すると、信号の反射やクロストークなどの問題が発生し、高速な信号の伝送が困難になる。
【０００５】
本発明は、前記従来の課題を解決するものであり、安価な片面基板を用いて、複数のコネクタを実装することを可能とし、かつ信号の反射やクロストークを抑制する特徴を持ったフレキシブルプリント基板を提供することを目的とする。
【特許文献１】特開２０００−３５７８４６号公報
【課題を解決するための手段】
【０００６】
前記課題を解決するために、本願発明１は、下記の特徴を有するフレキシブルプリント基板を提供する。
・互いに対向する第１面及び第２面と、少なくとも一部を折り曲げることにより前記第１面が外表になるよう重ね合わせられた重複部分とを有するフレキシブルプリント基板の本体、
・前記本体の第１面上に、互いにほぼ平行に配置された複数の配線、
・一部の配線の一端及び／または途中に接続され、その配線よりも幅が広く、前記重複部分の一方の面上に形成された第１パッド、
・一部の配線の一端及び／または途中に接続され、その配線よりも幅が広く、前記重複部分の他方の面上に形成された第２パッド、
・前記第１パッドが接続された各配線と前記第２パッドが接続された各配線とは、前記第１面上で交互に配置されている。
【０００７】
配線を第１面にのみ形成するので、基板の面積が小さくてすみ、基板のコストを抑えることができる。その一方、コネクタを接続するためのパッドを重複部分の裏表、すなわち両面に形成するので、複数のコネクタを接続することができる。つまり、複数のコネクタに対応し、インピーダンスの制御が容易で低コストなフレキシブルプリント基板を実現することができる。さらに、パッドを形成するための重複部分を、フレキシブルプリント基板の端部だけでなく途中にも形成することができ、しかも複数箇所に形成しても良い。
【０００８】
本願発明２は、前記発明１において、前記配線は信号配線とグランド配線とを含み、前記信号配線とグランド配線とが２本ずつ交互に配置されているフレキシブルプリント基板を提供する。
【０００９】
第１パッドの並び及び第２パッドの並びが信号パッドとグランドパッドとの交互の配列になるため、信号パッド同士のクロストークの影響を緩和することができる。
【００１０】
本願発明３は、前記発明２において、隣り合う信号配線間の距離は、隣り合う信号配線とグランド配線との間の距離よりも長いフレキシブルプリント基板を提供する。
【００１１】
隣り合う信号配線間の距離を大きくとることにより、信号配線同士のクロストークを防止することができる。
【００１２】
本願発明４は、前記発明１において、３本の配線からなる配線パターン単位の繰り返しにより構成される配線パターンが前記第１面に形成されているフレキシブルプリント基板を提供する。ここで、配線パターン単位のそれぞれは、グランド配線と、そのグランド配線を挟むように配置された２本の信号配線と、により形成されている。
【００１３】
基板本体の重複部分において、信号端子と信号端子との間には他面のグランド端子が位置するため、信号端子のクロストークを緩和することができる。
【００１４】
本願発明５は、前記発明４において、前記配線パターン単位に含まれる２本の信号配線は、互いの信号の位相が反転している第１信号配線及び第２信号配線であるフレキシブルプリント基板を提供する。ここで、前記各配線パターン単位において、前記第１信号配線と前記第２信号配線とは、前記グランド配線に対して対称に配置されている。
【００１５】
差動配線の正相及び逆相の間にグランド配線を配置するので、差動信号の正相及び逆相の信号間のクロストークの影響を緩和できる。
【００１６】
本願発明６は、前記発明４において、前記配線パターンを構成する各配線パターン単位間の距離は、各配線パターン単位内の信号配線とグランド配線との距離よりも長いフレキシブルプリント基板を提供する。
【００１７】
隣り合う配線パターン単位間では、差動信号の正相及び逆相の信号配線が隣り合っているので、配線パターン単位の距離を大きくとることにより信号配線同士のクロストークの影響を押さえることができる。
【発明の効果】
【００１８】
本発明を用いれば、複数コネクタを実装可能なフレキシブルプリント基板を、安価に提供することができる。
【発明を実施するための最良の形態】
【００１９】
以下、本発明について、図面を参照しながら具体的に説明する。
【００２０】
＜第１実施形態＞
［構成］
図１は、本発明の第１実施形態例に係るフレキシブルプリント基板の構成図を示す。図１（ａ）は、本実施形態に係るフレキシブルプリント基板の平面図である。フレキシブルプリント基板は、本体１００、配線１０１及び表面パッド１０３を有している。このフレキシブル基板は、重複部１０５において基板が二重に重なっており、重複部１０５の図中紙面と反対側に裏面パッド１０４（図１（ｃ）、（ｄ）参照）を有している。
【００２１】
図１（ｂ）は、重複部１０５を展開した場合のフレキシブルプリント基板の平面図である。重複部１０５は、表面側１０５ａと裏面側１０５ｂとに展開されている。前述したように、重複部１０５の裏面側には裏面パッド１０４が形成されている。図１（ｃ）は、同図（ａ）の図中Ａ方向から見た、フレキシブルプリント基板の側面図である。図１（ｄ）は、同図（ａ）の図中Ｂ方向から見た、フレキシブルプリント基板の側面図である。図１（ｅ）は、同図（ａ）の重複部１０５における断面図である。
【００２２】
次に各構成要素について詳述する。
【００２３】
（１）本体
シート状の本体１００は、互いに対向する表面１００ａ及び裏面１００ｂを有し、折り曲げ可能である。本体１００の一端は、図１（ｂ）中の折り曲げ線１０２で表面１００ａが外側になるように折り曲げられている。折り曲げられた本体１００の裏面１００ｂ同士は耐熱性のある接着剤などで接合されている。折り曲げられた部分は、本体１００が二重に重なる重複部１０５を形成する。
【００２４】
（２）複数の配線
複数の配線１０１は、本体１００の表面上に互いにほぼ平行に配置されている。配線１０１は、信号を伝送するための導体配線である。配線１０１の本数は図示する１２本に限定されない。配線１０１は、表面パッド１０３につながる配線１０１ａと、裏面バッド１０４につながる配線１０１ｂとに大別される。配線１０１ａと配線１０１ｂとは、本体１００の表面１００ａ上で交互に配列されている。後述するように、重複部１０５の一方の面におけるパッド間の裏に、他面のパッドを配置するためである。
【００２５】
重複部１０５では、配線１０１ｂの幅がその他の部分よりも狭く形成されている。これは、重複部１０５における配線１０１ｂと表面パッド１０３との距離を保ち、クロストークを緩和するためである。好ましくは、重複部１０５における配線１０１ｂ及び表面パッド１０３の距離と、その他の部分における配線１０１ａ、１０１ｂの距離とを同一に保つと、各配線のインピーダンスが安定する。
【００２６】
（３）表面パッド・裏面パッド
本体１００には、コネクタ接続用の表面パッド１０３及び裏面パッド１０４が形成されている。表面パッド１０３及び裏面パッド１０４は、配線１０１のそれぞれの一端に接続され、配線１０１よりも幅広に形成されている。さらに、表面パッド１０３は、重複部の表面側１０５ａに形成されている。表面パッド１０３は、本体１００の表面１００ａ上で配線１０１ａと接続されている。一方、裏面パッド１０４は、重複部の裏面側１０５ｂに形成されている。裏面パッド１０４は、重複部１０５の表面側から裏面側に回り込んでいる配線１０１ｂと重複部の裏面側１０５ｂで接続されている。
【００２７】
図１（ｅ）に示すように、重複部１０５の一方の面におけるパッド間の裏には、他面のパッドが位置している。従って、重複部の表面側１０５ａ及び裏面側１０５ｂのそれぞれにおいて、パッド間の距離を確保することができる。また、重複部の表面側１０５ａのパッドと裏面側１０５ｂのパッドとの距離を確保することができる。そのため、パッド同士のクロストークを緩和しやすい。また、パッド間の間隔を表裏両面において同一に設定しやすく、コネクタを実装する上で好適である。
【００２８】
なお、本実施形態では重複部１０５を１箇所形成して２つのコネクタをその両面に実装しているが、重複部１０５を複数形成してもよい。３つ以上のコネクタを実装することができる。また、このフレキシブルプリント基板に実装されるコネクタは、表裏で別々であってもいいし、表裏に使えるよう一体化されたコネクタであってもよい。
【００２９】
なお、全配線が上記のような構造になっている必要はなく、一部の配線がなっているだけでもよい。
【００３０】
［効果］
上記の構成のフレキシブルプリント基板では、配線１０１を本体１００の片面にのみ形成しているので、フレキシブルプリント基板の面積が小さくてすみ、コストを抑えることができる。その一方、コネクタを接続するためのパッド１０３，１０４を、重複部１０５の裏表、すなわち基板の両面に形成するので、複数のコネクタを基板に接続することができる。つまり、複数のコネクタに対応し、インピーダンスの制御が容易で低コストなフレキシブルプリント基板を実現することができる。
【００３１】
＜第２実施形態＞
図２は、本発明の第２実施形態例に係るフレキシブルプリント基板の構成図を示す。図２（ａ）は、本実施形態に係るフレキシブルプリント基板の平面図である。フレキシブルプリント基板は、本体１００、配線１０１及び表面パッド１０３を有している。このフレキシブル基板は、重複部１０５において基板が二重に重なっており、重複部１０５の図中紙面と反対側に裏面パッド１０４（図２（ｂ）、（ｃ）参照）を有している。図２（ｂ）は、重複部１０５を展開した場合のフレキシブルプリント基板の平面図である。重複部１０５は、表面側１０５ａと裏面側１０５ｂとに展開されている。同図（ｃ）は、同図（ａ）の重複部１０５における断面図である。
【００３２】
次に各構成要素について詳述する。図中、第１実施形態と同一の符号番号を付した構成要素は、第１実施形態と同様の構成及び作用を有している。
【００３３】
（１）本体
シート状の本体１００は、互いに対向する表面１００ａ及び裏面１００ｂを有し、折り曲げ可能である。本体１００の一端は、図２（ｂ）中の折り曲げ線１０２で表面１００ａが外側になるように折り曲げられている。折り曲げられた本体１００の裏面１００ｂ同士は耐熱性のある接着剤などで接合されている。折り曲げられた部分は、本体１００が二重に重なる重複部１０５を形成する。
【００３４】
（２）複数の配線
複数の配線１０１は、本体１００の表面上に互いにほぼ平行に配置されている。配線１０１は、信号を伝送するための導体配線である。配線１０１の本数は図示する１２本に限定されない。配線１０１は、表面パッド１０３につながる配線１０１ａと、裏面バッド１０４につながる配線１０１ｂとに大別される。配線１０１ａと配線１０１ｂとは、本体１００の表面１００ａ上で交互に配列されている。後述するように、重複部１０５の一方の面におけるパッド間の裏に、他面のパッドを配置するためである。
【００３５】
重複部１０５では、配線１０１ｂの幅がその他の部分よりも狭く形成されている。これは、重複部１０５における配線１０１ｂと表面パッド１０３との距離をできるだけ大きく保ち、信号の反射やクロストークを緩和するためである。
【００３６】
配線１０１は、信号配線Ｓとグランド配線Ｇとに分けることもできる。信号配線Ｓとグランド配線Ｇとは、２本ずつ交互に配置されている。こうすると、重複部の表面側１０５ａ及び裏面側１０５ｂのそれぞれにおいて、信号パッドとグランドパッドとが交互に並ぶようになり、信号パッド同士のクロストークの影響を緩和することができる。また、線路、パッドのインピーダンスが確定し、材質、線幅、線厚を調整することによって、所望のインピーダンスに設計することができる。なお、信号配線Ｓに接続されるパッドを信号パッド、グランド配線Ｇに接続されるパッドをグランドパッドという。
【００３７】
隣り合う信号配線Ｓ間の距離はできるだけ大きく取ることが好ましい。信号配線同士のクロストークや信号の反射を防止するためである。本体１００の面積には限りがあるため、実際には隣り合う信号配線Ｓ同士の距離を、隣り合う信号配線Ｓとグランド配線Ｇとの距離よりも大きく設定すると良い。
【００３８】
（３）表面パッド・裏面パッド
本体１００には、コネクタ接続用の表面パッド１０３及び裏面パッド１０４が形成されている。表面パッド１０３及び裏面パッド１０４は、配線１０１のそれぞれの一端に接続され、配線１０１よりも幅広に形成されている。さらに、表面パッド１０３は、重複部の表面側１０５ａに形成されている。表面パッド１０３は、本体１００の表面１００ａ上で配線１０１ａと接続されている。一方、裏面パッド１０４は、重複部の裏面側１０５ｂに形成されている。裏面パッド１０４は、重複部１０５の表面側から裏面側に回り込んでいる配線１０１ｂと重複部の裏面側１０５ｂで接続されている。
【００３９】
図１（ｅ）に示すように、重複部１０５の一方の面におけるパッド間の裏には、他面のパッドが配置されている。従って、重複部の表面側１０５ａ及び裏面側１０５ｂのそれぞれにおいて、パッド間の距離を確保しやすい。また、表面側１０５ａのパッドと裏面側１０５ｂのパッドとの距離を確保しやすい。そのため、パッド同士のクロストークを緩和しやすい。また、パッド間の間隔を表裏両面において同一に設定すれば、コネクタを実装する上で好適である。
【００４０】
さらに、表面パッド１０３及び裏面パッド１０４は、信号パッド及びグランドパッドに分けることができる。図２（ｃ）に示すように、重複部の表面側１０５ａ及び裏面側１０５ｂのそれぞれにおいて、信号パッド及びグランドパッドが交互に配列されている。このため、信号パッド間の反射やクロストークを緩和することができる。また、線路、パッドのインピーダンスが確定し、材質、線幅、線厚を調整することによって、所望のインピーダンスに設計することができる。
【００４１】
なお、重複部１０５を複数形成して３つ以上のコネクタを実装することができるのは、第１実施形態と同様である。また、このフレキシブルプリント基板に実装されるコネクタは、表裏で別々であってもいいし、一部のみや一体化されていてもよいのも、第１実施形態と同様である。
【００４２】
［効果］
上記の構成のフレキシブルプリント基板では、配線１０１を本体１００の片面にのみ形成しているので、フレキシブルプリント基板の面積が小さくてすみ、コストを抑えることができる。その一方、コネクタを接続するためのパッド１０３，１０４を、重複部１０５の裏表、すなわち基板の両面に形成するので、複数のコネクタを基板に接続することができる。さらに、信号配線Ｓ及びグランド配線Ｇを２本ずつ交互に配置することにより、重複部の表面側１０５ａ及び裏面側１０５ｂのそれぞれにおいて、信号パッドとグランドパッドとを交互に配列することができ、信号パッド間の反射やクロストークを緩和することができる。また、線路、パッドのインピーダンスが確定し、材質、線幅、線厚を調整することによって、所望のインピーダンスに設計することができる。さらに、信号配線Ｓ同士の距離を、信号配線Ｓとグランド配線Ｇとの距離よりも大きく取ることで、信号配線Ｓ同士の反射やクロストークを緩和することができる。つまり、複数のコネクタに対応し、高速伝送に適した低コストなフレキシブルプリント基板を実現することができる。
【００４３】
＜第３実施形態＞
図３は、本発明の第３実施形態に係るフレキシブルプリント基板の構成図を示す。図３（ａ）は、本実施形態に係るフレキシブルプリント基板の平面図である。フレキシブルプリント基板は、本体１００、配線１０１及び表面パッド１０３を有している。このフレキシブル基板は、重複部１０５において基板が二重に重なっており、重複部１０５の図中紙面と反対側に裏面パッド１０４（図３（ｂ）、（ｃ）参照）を有している。図３（ｂ）は、重複部１０５を展開した場合のフレキシブルプリント基板の平面図である。重複部１０５は、表面側１０５ａと裏面側１０５ｂとに展開されている。図３（ｃ）は、同図（ａ）の重複部１０５における断面図である。
【００４４】
次に各構成要素について詳述する。図中、第１実施形態と同一の符号番号を付した構成要素は、第１実施形態と同様の構成及び作用を有している。
【００４５】
（１）本体
シート状の本体１００は、互いに対向する表面１００ａ及び裏面１００ｂを有し、折り曲げ可能である。本体１００の一端は、図３（ｂ）中の折り曲げ線１０２で表面１００ａが外側になるように折り曲げられている。折り曲げられた本体１００の裏面１００ｂ同士は耐熱性のある接着剤などで接合されている。折り曲げられた部分は、本体１００が二重に重なる重複部１０５を形成する。
【００４６】
（２）複数の配線
複数の配線１０１は、本体１００の表面上に互いにほぼ平行に配置されている。配線１０１は、信号を伝送するための導体配線である。配線１０１の本数は図示する１２本に限定されない。配線１０１は、表面パッド１０３につながる配線１０１ａと、裏面バッド１０４につながる配線１０１ｂとに大別される。配線１０１ａと配線１０１ｂとは、本体１００の表面１００ａ上で交互に配列されている。後述するように、重複部１０５の一方の面におけるパッド間の裏に、他面のパッドが位置するように配置するためである。
【００４７】
重複部１０５では、配線１０１ｂの幅がその他の部分よりも狭く形成されている。これは、重複部１０５における配線１０１ｂと表面パッド１０３との距離をできるだけ大きく保ち、クロストークを緩和するためである。
【００４８】
配線１０１は、信号配線Ｓとグランド配線Ｇとに分けることもできる。ここでは、３本の配線からなる配線パターン単位の繰り返しにより構成される配線パターンが本体１００の表面１００ａに形成されている。配線パターン単位のそれぞれは、グランド配線Ｇと、そのグランド配線を挟むように配置された２本の信号配線と、により形成されている。こうすることで、重複部１０５の一方の面における信号パッド間の裏に、他面のグランドパッドが位置するようになるため、信号パッドの反射やクロストークを緩和することができる。また、線路、パッドのインピーダンスが確定し、材質、線幅、線厚を調整することによって、所望のインピーダンスに設計することができる。
【００４９】
配線パターン単位に含まれる２本の信号配線は、互いの信号の位相が反転している信号配線＋Ｓ及び信号配線−Ｓである。差動配線＋Ｓ、−Ｓの正相及び逆相の間にグランド配線Ｇを配置することで、差動信号の正相及び逆相の信号間のクロストークの影響を効果的に緩和できる。従って、ＨＤＭＩ、ＤＶＩなどの擬似差動伝送において、信号波形の劣化が少なくなる。さらに、各配線パターン単位において、信号配線＋Ｓと信号配線−Ｓとがグランド配線Ｇに対して線対称に配置されていると、差動信号のクロストークの緩和やインピーダンスの制御にさらに好適である。
【００５０】
隣り合う配線パターン単位の間では、信号配線＋Ｓ，−Ｓが隣り合っている。隣り合う信号配線＋Ｓ，−Ｓの距離はできるだけ大きいことが好ましい。本体１００の面積が限られているので、実際には、隣り合う信号配線＋Ｓ、−Ｓの距離を、隣り合う信号配線＋Ｓ，−Ｓとグランド配線Ｇとの距離よりも大きく取るようにすると良い。言い換えれば、各配線パターン単位間の距離は、各配線パターン単位内の信号配線＋Ｓ、−Ｓとグランド配線Ｇとの距離よりも大きいことが好ましい。隣り合う差動信号の正相及び逆相の信号配線における反射やクロストークを緩和することができる。
【００５１】
（３）表面パッド・裏面パッド
本体１００には、コネクタ接続用の表面パッド１０３及び裏面パッド１０４が形成されている。表面パッド１０３及び裏面パッド１０４は、配線１０１のそれぞれの一端に接続され、配線１０１よりも幅広に形成されている。さらに、表面パッド１０３は、重複部の表面側１０５ａに形成されている。表面パッド１０３は、本体１００の表面１００ａ上で配線１０１ａと接続されている。一方、裏面パッド１０４は、重複部の裏面側１０５ｂに形成されている。裏面パッド１０４は、重複部１０５の表面側から裏面側に回り込んでいる配線１０１ｂと重複部の裏面側１０５ｂで接続されている。
【００５２】
図３（ｃ）に示すように、重複部１０５の一方の面におけるパッド間の裏には、他面のパッドが配置されている。従って、表面パッド間の距離、裏面パッド間の距離、及び表面パッドと裏面パッドとの距離とを確保し、パッド同士のクロストークを緩和しやすい。また、パッドの間隔を表裏両面において同一に設定すれば、コネクタを実装する上で好適である。
【００５３】
また、表面パッド１０３及び裏面パッド１０４は、信号パッド及びグランドパッドに分けることができる。図３（ｃ）に示すように、重複部１０５の一方の面における信号パッド間の裏には、他面のグランドパッドが配置されている。このため、差動信号を伝送する信号パッド間のクロストークを緩和することができる。
【００５４】
なお、重複部１０５を複数形成して３つ以上のコネクタを実装することができるのは、第１実施形態と同様である。また、このフレキシブルプリント基板に実装されるコネクタは、表裏で別々であってもいいし、一部のみや一体化されていてもよいのも、第１実施形態と同様である。
【００５５】
［効果］
上記の構成のフレキシブルプリント基板では、配線１０１を本体１００の片面にのみ形成しているので、フレキシブルプリント基板の面積が小さくてすみ、コストを抑えることができる。その一方、コネクタを接続するためのパッド１０３，１０４を、重複部１０５の裏表、すなわち基板の両面に形成するので、複数のコネクタを基板に接続することができる。２つの信号配線＋Ｓ，−Ｓをグランド配線Ｇを挟んで配置することにより、信号配線＋Ｓ，−Ｓ間のクロストークを緩和することができる。信号配線＋Ｓ，−Ｓ同士の距離を、信号配線＋Ｓ，−Ｓとグランド配線Ｇとの距離よりも大きく取れば、信号配線Ｓ同士のクロストークをさらに緩和することができる。
【００５６】
重複部１０５において、一方の面上で隣り合う信号パッドの間の裏には、他面側のグランドパッドが位置するので、信号パッド間のクロストークを緩和することができる。
【００５７】
また、線路、パッドのインピーダンスが確定し、材質、線幅、線厚を調整することによって、所望のインピーダンスに設計することができる。
【００５８】
つまり、複数のコネクタに対応し、高速伝送に適した低コストなフレキシブルプリント基板を実現することができる。
【００５９】
＜その他の実施形態＞
（Ａ）図４は、複数のコネクタを実装でき、クロストークを緩和する低コストなフレキシブルプリント基板の別の構成例を示す。図４（ａ）は、本実施形態に係るフレキシブルプリント基板の平面図である。フレキシブルプリント基板は、本体１００、配線１０１及び表面パッド１０３を有している。このフレキシブルプリント基板は、重複部１０５において基板が二重に重なっており、重複部１０５の図中紙面と反対側に裏面パッド１０４（図４（ｂ）、（ｃ）参照）を有している。図４（ｂ）は、重複部１０５を展開した場合のフレキシブルプリント基板の平面図である。重複部１０５は、表面側１０５ａと裏面側１０５ｂとに展開されている。図４（ｃ）は、同図（ａ）の重複部１０５における断面図である。
【００６０】
配線１０１は、表面パッド１０３につながる配線１０１ａと、裏面パッド１０４につながる配線１０１ｂとが、２本ずつ交互に配置されている。配線１０１は、信号配線Ｓとグランド配線Ｇとに分けることもできる。信号配線Ｓとグランド配線Ｇとは、交互に配列されている。信号配線Ｓとグランド配線Ｇとはペアを構成し、ペアを繰り返すことで配線パターンが形成されている。ペアをなす信号配線Ｓ及びグランド配線Ｇは、共に表面パッド１０３に接続されているか、または共に裏面パッド１０４に接続されている。ペアをなす信号配線Ｓとグランド配線Ｇとの間隔は、異なるペア間の間隔よりも短く設定されている。
【００６１】
これにより、図４の（ｂ）、（ｃ）に示すように、重複部の表面側１０５ａ及び裏面側１０５ｂのいずれにおいても、信号パッドとグランドパッドとが交互に並ぶようになる。また、一方の面の信号パッドとグランドパッドとのペアの間の裏側には、他方の面の信号パッドとグランドパッドとが位置する。これにより、信号パッド間のクロスストロークの影響を抑えることができる。また、線路、パッドのインピーダンスが確定し、材質、線幅、線厚を調整することによって、所望のインピーダンスに設計することができる。
【００６２】
（Ｂ）図５は、複数のコネクタを実装でき、クロストークを緩和する低コストなフレキシブルプリント基板の別の構成例を示す。図５（ａ）は、本実施形態に係るフレキシブルプリント基板の平面図である。フレキシブルプリント基板は、本体１００、配線１０１及び表面パッド１０３を有している。このフレキシブルプリント基板は、重複部１０５において基板が二重に重なっており、重複部１０５の図中紙面と反対側に裏面パッド１０４（図５（ｂ）、（ｃ）参照）を有している。図５（ｂ）は、重複部１０５を展開した場合のフレキシブルプリント基板の平面図である。重複部１０５は、表面側１０５ａと裏面側１０５ｂとに展開されている。図４（ｃ）は、同図（ａ）の重複部１０５における断面図である。
【００６３】
配線１０１は、表面パッド１０３につながる配線１０１ａと、裏面パッド１０４につながる配線１０１ｂとが、３本ずつ交互に配置されている。この３本の配線１０１は、配線パターン単位となる。
【００６４】
配線１０１は、信号配線Ｓとグランド配線Ｇとに分けることができる。１つの配線パターン単位は、互いに位相が逆の信号配線＋Ｓ，−Ｓとグランド配線Ｇとを、＋Ｓ，−Ｓ，Ｇの順に配列して形成されている。信号配線Ｓとグランド配線Ｇとはペアを構成し、ペアを繰り返すことで配線パターンが形成されている。差動信号配線＋Ｓ，−Ｓ同士の結合を高めるために、差動信号配線＋Ｓ，−Ｓの配線を近づけて配置することが好ましい。なお、差動信号の正相、逆相の並びはどちらでもよく、−Ｓ，＋Ｓ，Ｇの順に配列してもよい。また、線路、パッドのインピーダンスが確定し、材質、線幅、線厚を調整することによって、所望のインピーダンスに設計することができる。
【００６５】
これにより、図４の（ｂ）、（ｃ）に示すように、重複部の表面側１０５ａ及び裏面側１０５ｂのいずれにおいても、差動信号パッドとグランドパッドとが交互に並ぶようになる。また、一方の面における差動信号パッドとグランドパッドとのグループの間の裏側には、他方の面の差動信号パッドとグランドパッドとのグループが位置する。これにより、差動信号間のクロストークの影響を排除することが可能となり、ＵＳＢ、ＩＥＥＥ１３９４などの差動伝送において、信号波形の劣化が少なくなる。
【００６６】
（Ｃ）図６は、パッドを配線１０１の途中に形成したフレキシブルプリント基板の構成例を示す。図６（ａ）は、本実施形態に係るフレキシブルプリント基板を展開した場合の平面図である。図６（ｂ）は、同図（ａ）中Ａ側から見た、フレキシブルプリント基板の側面図である。図６（ｃ）は、同図（ａ）中Ｂ側から見た、フレキシブルプリント基板の側面図である。図６（ｄ）は、一方から見たフレキシブルプリント基板の斜視図である。図６（ｅ）は、別の方向から見たフレキシブルプリント基板の斜視図である。
【００６７】
このフレキシブルプリント基板では、配線１０１の途中に重複部１０５が形成されている。配線１０１ａの途中には、表面パッド１０３が挿入され、配線１０１ａと直列に接続されている。表面パッド１０３は、重複部１０５の一方の面上、すなわち本体１００の表面１００ａ上に形成されている。配線１０１ｂの途中には、裏面パッド１０４が挿入され、配線１０１ｂと直列に接続されている。裏面パッド１０４は、重複部１０５の一方の面上、すなわち本体１００の表面１００ａ上に形成されている。さらに表面パッド１０３と裏面パッド１０４とは、重複部１０５において、互いに反対側の面に形成されている。
【００６８】
図７は、パッド１０３，１０４及び重複部１０５を、長物形状の基板本体１００の途中に、複数箇所形成した構成を示す。図６の構成を応用して複数の重複部を形成すれば、フレキシブルプリント基板に複数のコネクタを接続できるようになり、接続形態の自由度を増すことができる。
【産業上の利用可能性】
【００６９】
本発明にかかるフレキシブルプリント基板は、信号の反射やクロストークが問題となる高速インターフェースにおいて、複数のポートを有するインターフェースの伝送媒体として応用可能である。
【図面の簡単な説明】
【００７０】
【図１】本発明の第１実施形態におけるフレキシブルプリント基板の構成図（ａ）平面図（ｂ）展開平面図（ｃ）図（ａ）中のＡ方向から見た側面図（ｄ）図（ａ）中のＢ方向から見た側面図（ｅ）図（ａ）の重複部の断面図
【図２】本発明の第２実施形態におけるフレキシブルプリント基板の構成図（ａ）平面図（ｂ）展開平面図（ｃ）図（ａ）の重複部の断面図
【図３】本発明の第３実施形態におけるフレキシブルプリント基板の構成図（ａ）平面図（ｂ）展開平面図（ｃ）図（ａ）の重複部の断面図
【図４】別形態におけるフレキシブルプリント基板の構成図（ａ）平面図（ｂ）展開平面図（ｃ）図（ａ）の重複部の断面図
【図５】別形態におけるフレキシブルプリント基板の構成図（ａ）平面図（ｂ）展開平面図（ｃ）図（ａ）の重複部の断面図
【図６】別形態におけるフレキシブルプリント基板の構成図（ａ）本実施形態に係るフレキシブルプリント基板を展開した場合の平面図（ｂ）同図（ａ）中Ａ側から見た、フレキシブルプリント基板の側面図（ｃ）同図（ａ）中Ｂ側から見た、フレキシブルプリント基板の側面図（ｄ）一方から見たフレキシブルプリント基板の斜視図（ｅ）別の方向から見たフレキシブルプリント基板の斜視図
【図７】図６に示す構成の応用例を示す説明図
【図８】従来の構成図（片面基板の場合）
【図９】従来の構成図（両面基板の場合）
【手続補正３】
【補正対象書類名】図面
【補正対象項目名】全図
【補正方法】変更
【補正の内容】
【図１】
2006013772.tif 000011
【図２】
2006013772.tif 000012
【図３】
2006013772.tif 000013
【図４】
2006013772.tif 000014
【図５】
2006013772.tif 000015
【図６】
2006013772.tif 000016
【図７】
2006013772.tif 000017
【図８】
2006013772.tif 000018
【図９】
2006013772.tif 000019
【国際調査報告】
2006013772.tif 000020
2006013772.tif 000021
2006013772.tif 000022
2006013772.tif 000023